(57)【要約】【課題】支柱に付着する貝類や支柱の内部に詰まった泥砂を軽作業で簡単に除去することができる海苔網の支柱の処理装置を提供することを目的とする。【解決手段】船５のヘリ部６に設置される台部１１上に油圧モータ１８に駆動される水平な回転軸１７を設ける。回転軸１７の端部に第１の回転体２１と第２の回転体２２を間隔Ｔをおいて装着し、第１、第２の回転体２１、２２と回転軸１７に第１のチェーン２３と第２のチェーン２６を互いに交差して谷部Ｖを形成するように固着する。貝類Ｋが付着した支柱１をガイド体３１上に載せ、スライドさせて谷部Ｖに落し込み、支柱１を手回ししながらその長手方向に押し引きすると、貝類Ｋは第１、第２のチェーン２３、２６でこすり落され、また支柱１の内部に詰った泥砂Ｓは支柱１の下端部から流れ出して除去される。【選択図】図１
2008086253.tif 000002
【特許請求の範囲】
【請求項１】
台部と、この台部上に支持された水平な回転軸と、この回転軸を駆動する駆動部と、この回転軸に間隔をおいて装着された第１の回転体及び第２の回転体と、一端部が前記間隔における前記回転軸に固着され、他端部が前記第１の回転体の外側部に固着された第１のチェーンと、一端部が前記間隔における前記回転軸に固着され、他端部が前記第２の回転体の外側部に固着された第２のチェーンとを有し、前記第１のチェーンと前記第２のチェーンはそれぞれ前記第１の回転体と前記第２の回転体にその回転方向にピッチをおいて交互に複数本張設されることにより互いに交差する谷部を形成しており、且つ作業者が保持する支柱を前記谷部へ向ってスライドさせて案内するためのガイド体を設けたことを特徴とする海苔網の支柱の処理装置。
【請求項２】
船のヘリ部上に設置される底台を備え、前記台部はこの底台上に水平回転自在に設置されることを特徴とする請求項１記載の海苔網の支柱の処理装置。
【発明の詳細な説明】
【技術分野】
【０００１】
本発明は、海苔養殖のために海洋に張設される海苔網の支柱の処理装置に関するものである。
【背景技術】
【０００２】
海苔を養殖する海苔網は、海洋に立設された支柱に張設される。図７は、海苔網を張設した支柱の正面図である。支柱１は、一般にＦＲＰ（強化プラスチック）により形成された中空パイプであって、その長さは１０ｍ若しくはそれ以上であり、表面には保護膜が薄くコーティングされている。支柱１は、その下端部を海底４に突き差して垂直に立設される。海苔網２は、その端部をロープ（太線で示す）３により支柱１に結び付けられて張設される。
【０００３】
海面は干満により上下動する。ａは満潮海面、ｂは干潮海面である。支柱１には、リング４が嵌挿されている。リング４は浮きであって海面付近に浮いており、波に揺られて遊動しながら満潮海面ａと干潮海面ｂの間を上下動する。したがってリング４が上下動する範囲Ａには貝類（一般にフジツボ）は付着しない。しかしながら、干潮海面ｂ以下の範囲Ｂは常時海中にあるため、貝類Ｋが付着する。
【０００４】
海苔シーズンは一般に９月乃至３月である。したがって支柱１は９月初旬頃に海洋に立設して海苔の養殖が行われ、４月頃海洋から引き上げられて陸上に保管される。引き上げられた支柱１の上記範囲Ｂには大量の貝類Ｋが付着しているので、貝類Ｋは除去しなければならない。また支柱１は中空パイプであるため、海底４に差し込まれていた範囲Ｃには泥砂Ｓが詰まっているので、この泥砂Ｓは除去しなければならない。
【発明の開示】
【発明が解決しようとする課題】
【０００５】
しかしながら、貝類Ｋは支柱１の表面に強くこびり付いており、また泥砂Ｓは支柱１の内部にびっしり詰まっているため、これらの除去作業には多大な手間と労力を有するものであった。特に、支柱は上記のように長大であり、しかも相当の重量を有するので、支柱を手軽に取り扱いながら貝類Ｋや泥砂Ｓの除去作業を行うことは甚だ重労働であった。
【０００６】
そこで本発明は、支柱に付着する貝類や支柱の内部に詰まった泥砂を軽作業で簡単に除去することができる海苔網の支柱の処理装置を提供することを目的とする。
【課題を解決するための手段】
【０００７】
請求項１記載の本発明の海苔網の支柱の処理装置は、台部と、この台部上に支持された水平な回転軸と、この回転軸を駆動する駆動部と、この回転軸に間隔をおいて装着された第１の回転体及び第２の回転体と、一端部が前記間隔における前記回転軸に固着され、他端部が前記第１の回転体の外側部に固着された第１のチェーンと、一端部が前記間隔における前記回転軸に固着され、他端部が前記第２の回転体の外側部に固着された第２のチェーンとを有し、前記第１のチェーンと前記第２のチェーンはそれぞれ前記第１の回転体と前記第２の回転体にその回転方向にピッチをおいて交互に複数本張設されることにより互いに交差する谷部を形成しており、且つ作業者が保持する支柱を前記谷部へ向ってスライドさせて案内するためのガイド体を設けた。
【０００８】
請求項２記載の本発明の海苔網の支柱の処理装置は、請求項１記載の海苔網の支柱の処理装置において、船のヘリ部上に設置される底台を備え、前記台部はこの底台上に水平回転自在に装着されるようにした。
【発明の効果】
【０００９】
請求項１記載の発明によれば、台部は例えば船のヘリ部などに設置する。そして作業者は海中から引き上げられた支柱を手に保持し、その先端部側（貝類が付着している側）をガイド体上に載せる。そして支柱の先端部側をガイド体上をスライドさせて第１のチェーンと第２のチェーンが交差する谷部へ落し込み、支柱をその軸心を中心に手回ししながら、支柱をその長手方向に押し引きする。すると支柱に強くこびり付いた貝類は第１、第２のチェーンによりこすり落とされる。また支柱をその先端部側へ向って下り勾配で傾斜させて上記こすり落とし作業をすれば、こすり落とし中には支柱はチェーンが貝類に強く擦過することによる振動によってがたつくので、このがたつきにより支柱の下端部に詰まっていた泥砂は下端部から外部へ流れ出て除去される。この場合、チェーンは貝類の擦過除去力は大きく、貝類を難なく擦過除去できるが、支柱表面への当たりは柔かいので、支柱の表面にコーティングされた保護膜を損傷しにくい。
【００１０】
請求項２記載の発明によれば、貝類や泥砂の除去作業を行うときは、第１、第２の回転体を船ヘリ部から海上に突出した位置に位置させる。そしてこの位置において除去作業を行えば、支柱から除去された貝類や泥砂は海中に落下する。
【００１１】
海洋での除去作業が終了し、船が船着き場に帰船するときは、底台上の台部を水平回転させ、第１、第２の回転体を含む処理装置が船のヘリ部から海上に突出しないようにヘリ部上に収納する。このように処理装置をヘリ部上に完全に収納すれば、船着き場の岸壁や他船等に処理装置、特に第１の回転体が衝突して破損事故が発生するのを防止できる。
【発明を実施するための最良の形態】
【００１２】
図１は海苔網の支柱の処理装置の斜視図、図２は海苔網の支柱の処理装置の平面図、図３は海苔網の支柱の処理装置の正面図、図４はチェーンの平面図、図５は海苔網の支柱の処理装置を使用中の船の平面図、図６は海苔網の支柱の処理装置を船のヘリ部に収納した状態の船の平面図である。
【００１３】
図５において、作業者Ｐは船５に乗船し、支柱１を両手に保持して船５のヘリ部６上に設置された海苔網の支柱の処理装置１０により貝類や泥砂の除去作業を行っている様子を示している。船５上の隅部には、処理が終了した支柱１が載せられている。以下、図１〜図３を参照して海苔網の支柱の処理装置１０について説明する。
【００１４】
図１〜図４において、台部１１は板体であって、ヘリ部６上に設置された板状の底台１２上に設置されている。台部１の一側部（船外側の側部）には円弧状の長孔１３が開孔されており、この長孔１３には底台１２に立設されたピン１４が嵌入している。
【００１５】
台部１１の他側部中央（船内側）のには支軸部１５が立設されている。台部１１は底台１２上を支軸部１５を中心に水平回転自在に底台１２上に設置されており、水平回転は長孔１３とピン１４に案内される。支軸部１５上には軸受１６が水平な姿勢で支持されている。
【００１６】
軸受１６には回転軸１７が挿入されている。また軸受１６の一端部には駆動部としての油圧モータ１８が装着されている。軸受１６から突出する水平な回転軸１７の端部には第１の回転体２１が装着されており、第１の回転体２１の手前には第１の回転体２１と間隔Ｔをおいて第２の回転体２２が装着されている。本実施の形態では、第１、第２の回転体２１、２２は円板である。
【００１７】
２３は第１のチェーンであって、その一端部は溶接部などの固着部２４により間隔Ｔにおける第２の回転体２２近くの回転軸１７の表面に固着されており、他端部は第１の回転体２１の外側部、望ましくはその外周面に溶接部などの固着部２５により固着されている。２６は第２のチェーンであって、その一端部は同様の固着部２７により間隔Ｔにおける第１の回転体２１近くの回転軸１７の表面に固着されており、他端部は第２の回転体２２の外側部、望ましくはその外周面に同様の固着部２８により固着されている。
【００１８】
第１、第２のチェーン２３、２６は回転軸１７の回転方向にピッチをおいて交互に複数本（本実施の形態では９０°のピッチで各４本、両者合計で８本）張設されており、相隣る第１、第２のチェーン２３、２６は互いに交差して谷部Ｖを形成している。図４は第１、第２のチェーン２３、２６の部分拡大図であって、第１、第２のチェーン２３、２６は市販のものである。図１〜図３では、作図の都合上、第１、第２のチェーン２３、２６は破線で示している。
【００１９】
図１〜図３において、台部１１の一側部の両側部には支持柱３０が立設されている。支持柱３０上にはガイド体３１が水平な姿勢で支持されている。ガイド体３１は金属棒などの棒状体から成っている。ガイド体３１の一端部３１ａは第２の回転体２２の斜上方に位置しており、また他端部は上向きに屈曲されたストッパとしての屈曲部３１ｂとなっている。作業者Ｐは、支柱１を海中から引き抜いたならば、まず支柱をガイド体３１上に載せ、ガイド体３１上を上記谷部Ｖへ向ってスライドさせて谷部Ｖに落し込む（図１〜図３の矢印Ｎ）。屈曲部３１ｂは、支柱１が誤って谷部Ｖと反対側へスライドしてガイド体３１から落下するのを防止するものである。
【００２０】
この海苔網の支柱の処理装置は上記のような構成より成り、次にその使用方法を説明する。図５において、海苔網の支柱の処理装置１０は、第１、第２の回転体２１、２２がヘリ部６から海洋上にやや突出する位置に位置している。また油圧モータ１８は駆動し、第１、第２の回転体２１、２２は回転軸１７を中心に回転している。作業者Ｐは海中から引き抜いた支柱１を両手に保持し、上述したように貝類Ｋ（図５では省略している）が付着した先端部側をガイド体３１上に載せ、谷部Ｖへ向ってスライドさせて谷部Ｖに落とし込む（図１〜図３の矢印Ｎ）参照。そして図５において、先端部側（貝類が付着した側）がやや下向きとなる傾斜姿勢で支柱１を保持し、支柱１をその軸心を中心に手回ししながら（矢印イ）、支柱１をその長手方向（矢印ロ）に押し引きする。
【００２１】
すると支柱１の表面に付着する貝類Ｋは第１、第２のチェーン２３、２６にこすり落とされ、海中に落下する。またこのこすり落とし時には、第１、第２のチェーン２３、２６に貝類Ｋが強く擦過することによる振動によって支柱１はがたつき、このがたつきにより中空パイプである支柱１の下端部に詰まっていた泥砂Ｓ（図７）は下端部から流れ出て除去される（矢印ハ）。以上のようにして貝類Ｋと泥砂Ｓの除去が終了した支柱１は、船５の隅部に収納する。
【００２２】
海洋に立設された多数本の支柱１の処理が終了したならば、船５は港などの船着き場に帰船する。ここで、図５に示すように、海苔網の支柱の処理装置１０の一部、特に第１の回転体２１が船外へ突出していると、港などにおいて、他船や岸壁に衝突するなどして危険である。そこで支柱１の処理作業が終了したならば、台部１１を底台１２上で支軸部１５を中心に若干（本実施の形態では約３０°）水平回転させることにより、図６に示すように、海苔網の支柱の処理装置１０をヘリ部６上に収納する。このように処理装置１０をヘリ部６上に収納すれば、上記危険を回避できる。なお、台部１１を図５に示す使用位置と図６で示す収納位置にロックして固定するロック手段を設けることが望ましい。ロック手段としては、ボルトやクランパ等の公知のものを適用できる。
【産業上の利用可能性】
【００２３】
請求項１記載の発明によれば、海苔網の支柱の処理装置の台部は例えば船のヘリ部などに設置する。そして作業者は海中から引き上げられた支柱を手に保持し、その先端部側（貝類が付着している側）をガイド体上に載せる。そして支柱の先端部側をガイド体上をスライドさせて第１のチェーンと第２のチェーンが交差する谷部へ落し込み、支柱をその軸心を中心に手回ししながら、支柱をその長手方向に押し引きする。すると支柱に強くこびり付いた貝類は第１、第２のチェーンによりこすり落とされる。また支柱をその先端部側へ向って下り勾配で傾斜させて上記こすり落とし作業をすれば、こすり落とし中には支柱はチェーンが貝類に強く擦過することによる振動によってがたつくので、このがたつきにより支柱の下端部に詰まっていた泥砂は下端部から外部へ流れ出て除去される。この場合、チェーンは貝類の擦過除去力は大きく、貝類を難なく擦過除去できるが、支柱表面への当たりは柔かいので、支柱の表面にコーティングされた保護膜を損傷しにくい。
【００２４】
請求項２記載の発明によれば、貝類や泥砂の除去作業を行うときは、第１、第２の回転体を船ヘリ部から海上に突出した位置に位置させる。そしてこの位置において除去作業を行えば、支柱から除去された貝類や泥砂は海中に落下する。
【００２５】
海洋での除去作業が終了し、船が船着き場に帰船するときは、底台上の台部を水平回転させ、第１、第２の回転体を含む処理装置が船のヘリ部から海上に突出しないようにヘリ部上に収納する。このように処理装置をヘリ部上に完全に収納すれば、船着き場の岸壁や他船等に処理装置、特に第１の回転体が衝突して破損事故が発生するのを防止できる。
【図面の簡単な説明】
【００２６】
【図１】海苔網の支柱の処理装置の斜視図
【図２】海苔網の支柱の処理装置の平面図
【図３】海苔網の支柱の処理装置の正面図
【図４】チェーンの平面図
【図５】海苔網の支柱の処理装置を使用中の船の平面図
【図６】海苔網の支柱の処理装置を船のヘリ部に収納した状態の船の平面図
【図７】海苔網を張設した支柱の正面図
【符号の説明】
【００２７】
１  支柱
２  海苔網
５  船
６  ヘリ部
１０  海苔網の支柱の処理装置
１１  台部
１２  底台
１３  長孔
１４  ピン
１５  支軸部
１７  回転軸
１８  油圧モータ（駆動部）
２１  第１の回転体
２２  第２の回転体
２３  第１のチェーン
２６  第２のチェーン
３１  ガイド体
Ｔ  間隔
Ｖ  谷部
【図１】
2008086253.tif 000003
【図２】
2008086253.tif 000004
【図３】
2008086253.tif 000005
【図４】
2008086253.tif 000006
【図５】
2008086253.tif 000007
【図６】
2008086253.tif 000008
【図７】
2008086253.tif 000009